(57)【要約】【課題】制御ユニットの交換時に、作業者の誤操作によって、旧制御ユニットから新制御ユニットへのデータの承継が不能となることを防止した制御ユニット間のデータ移動方法を提供する。【解決手段】新制御ユニット１５ａと旧制御ユニット１５ｂを通信ケーブル３１接続して通信可能な状態とする第１の工程と、データ移動開始スイッチ３４が操作された制御ユニットにサーミスタ６０〜６４及びオーバーヒートスイッチ６５のうちの少なくともいずれか１つが接続されているか否かを検知する第２の工程と、データ移動開始スイッチ３４が操作された制御ユニットにサーミスタ６０〜６４及びオーバーヒートスイッチ６５のうちの少なくとも１つが接続されているときはデータ移動処理を実行し、いずれも接続されていないときにはデータ移動処理を禁止する第３の工程とを含む。【選択図】  図１
2008299410.tif 000002
【特許請求の範囲】
【請求項１】
データの読み出しと書き込みが可能な不揮発性メモリと、通信ポートと、電気負荷が接続される電気負荷接続ポートと、該不揮発性メモリ内のデータを読み出して該通信ポートを介して外部に出力し、また、該通信ポートを介して外部から入力したデータを該不揮発性メモリに書き込むデータ移動手段と、該データ移動手段に対して前記不揮発性メモリに保持されたデータの移動開始を指示するデータ移動開始スイッチとを有する制御ユニットを備えた装置において、該制御ユニットを交換したときに交換前の旧制御ユニットの不揮発性メモリに保持されたデータを交換後の新制御ユニットに移動させる方法であって、
前記装置には電気負荷が設けられて、前記制御ユニットが前記装置に取り付けられるときに、該電気負荷が前記電気負荷接続ポートに接続され、
前記制御ユニットは、前記電気負荷接続ポートに電気負荷が接続されていることを検知する電気負荷接続検知手段を備え、
前記装置から取り外された旧制御ユニットの前記通信ポートと、前記装置に新たに取り付けられた新制御ユニットの前記通信ポートとを通信ケーブルを介して接続して、新制御ユニットの前記データ移動手段と旧制御ユニットの前記データ移動手段間の通信が可能な状態にする第１の工程と、
前記第１の工程の終了後、新制御ユニット又は旧制御ユニットの前記データ移動開始スイッチが操作されたときに、該データ移動スイッチが操作された方の制御ユニットが、該制御ユニットの前記電気負荷接続検知手段により該制御ユニットの前記電気負荷接続ポートに電気負荷が接続されているか否かを検知する第２の工程と、
前記第２の工程で、前記データ移動スイッチが操作された方の制御ユニットが、該制御ユニットの前記電気負荷接続ポートに電気負荷が接続されていることを検知したときは、該制御ユニットが新制御ユニットであり、他方の制御ユニットが旧制御ユニットであるとして、旧制御ユニットの前記データ移動手段が、旧制御ユニットの不揮発性メモリに保存されたデータを前記通信ケーブルを介して新制御ユニットに送信すると共に、新制御ユニットの前記データ移動手段が、旧制御ユニットから送信されたデータを受信して新制御ユニットの不揮発性メモリに書き込むデータ移動処理を実行し、
前記第２の工程で、前記データ移動スイッチが操作された方の制御ユニットが、該制御ユニットの前記電気負荷接続ポートに電気負荷が接続されていることを検知しなかったときには、前記データ移動処理を禁止する第３の工程とを含むことを特徴とする制御ユニット間のデータ移動方法。
【請求項２】
前記装置には複数の電気負荷が設けられて、前記制御ユニットが前記装置に取り付けられるときに、該複数の電気負荷が前記電気負荷接続ポートに接続され、
前記第２の工程において、前記データ移動スイッチが操作された方の制御ユニットが、該制御ユニットの前記電気負荷接続検知手段により該制御ユニットの前記電気負荷接続ポートに、少なくとも１つの電気負荷が接続されていることを検知したときに、前記第３の工程において、前記データ移動処理を実行することを特徴とする請求項１記載の制御ユニット間のデータ移動方法。
【発明の詳細な説明】
【技術分野】
【０００１】
本発明は、装置に取り付けられ、該装置の制御を行なう際に必要となるデータを不揮発性のメモリに保持した制御ユニットを交換する際に、該データを旧制御ユニットから新制御ユニットに移動する方法に関する。
【背景技術】
【０００２】
近年、例えば石油やガス等をエネルギー源とする給湯器において、ＥＥＰＲＯＭ等の不揮発性メモリを使用して、制御用データや寿命データのバックアップを行うようにしたものが知られている。ここで、一般に、不揮発性メモリはＣＰＵやＲＡＭ等の他の電子部品と共に制御ユニットに実装され、制御用データや寿命データを不揮発性メモリに保持することで、停電発生時に制御用データが失われて停電復帰時に給湯器の動作が異常となったり、寿命データがクリアされないようにしていた。
【０００３】
しかしながら、上記のような構成では、給湯器の保守等のために前記制御ユニットを交換すると、不揮発性メモリも同時に交換されてしまうため、制御データや寿命データが承継されないという不都合があった。
【０００４】
そこで、制御ユニットを交換したときに、給湯器から取り外された制御ユニット（旧制御ユニット）と新たに取り付けられた制御ユニット（新制御ユニット）とを通信ケーブルを介して接続し、旧制御ユニットの不揮発性メモリ（ＥＥＰＲＯＭ）に保持された制御データや寿命データを新制御ユニットに転送して、新制御ユニットの不揮発性メモリに書き込むようにした制御ユニット間のデータ移動方法が提案されている（例えば、特許文献１参照）。
【０００５】
特許文献１に記載された方法においては、制御ユニットにデータの転送開始を指示するためのデータ移動開始スイッチが設けられ、制御ユニットの交換を行う作業者が新制御ユニットのデータ移動開始スイッチを操作したときに、旧制御ユニットの不揮発性メモリに保持されたデータを新制御ユニットに転送して、新制御ユニットの不揮発性メモリに保持するようにしていた。
【０００６】
しかし、特許文献１に記載された方法では、作業者が新制御ユニットではなく旧制御ユニットのデータ移動開始スイッチを誤って操作したときには、新制御ユニットの不揮発性メモリに保持されたデータが旧制御ユニットに転送されて、旧制御ユニットの不揮発性メモリに保持される。そのため、旧制御ユニットに保持されていたデータが消失してしまい、旧制御ユニットから新制御ユニットへのデータの承継が不能となるという不都合があった。
【特許文献１】特開平１０−１３３９５７号公報
【発明の開示】
【発明が解決しようとする課題】
【０００７】
本発明は上記背景を鑑みてなされたものであり、制御ユニットの交換時に、作業者の誤操作によって、不揮発性メモリに保持されたデータの旧制御ユニットから新制御ユニットへの承継が不能となることを防止した制御ユニット間のデータ移動方法を提供することを目的とする。
【課題を解決するための手段】
【０００８】
本発明は上記目的を達成するためになされたものであり、データの読み出しと書き込みが可能な不揮発性メモリと、通信ポートと、電気負荷が接続される電気負荷接続ポートと、該不揮発性メモリ内のデータを読み出して該通信ポートを介して外部に出力し、また、該通信ポートを介して外部から入力したデータを該不揮発性メモリに書き込むデータ移動手段と、該データ移動手段に対して前記不揮発性メモリに保持されたデータの移動開始を指示するデータ移動開始スイッチとを有する制御ユニットを備えた装置において、該制御ユニットを交換したときに交換前の旧制御ユニットの不揮発性メモリに保持されたデータを交換後の新制御ユニットに移動させる方法に関する。
【０００９】
そして、前記装置には電気負荷が設けられて、前記制御ユニットが前記装置に取り付けられるときに、該電気負荷が前記電気負荷接続ポートに接続され、前記制御ユニットは、前記電気負荷接続ポートに電気負荷が接続されていることを検知する電気負荷接続検知手段を備え、前記装置から取り外された旧制御ユニットの前記通信ポートと、前記装置に新たに取り付けられた新制御ユニットの前記通信ポートとを通信ケーブルを介して接続して、新制御ユニットの前記データ移動手段と旧制御ユニットの前記データ移動手段間の通信が可能な状態にする第１の工程と、前記第１の工程の終了後、新制御ユニット又は旧制御ユニットの前記データ移動開始スイッチが操作されたときに、該データ移動スイッチが操作された方の制御ユニットが、該制御ユニットの前記電気負荷接続検知手段により該制御ユニットの前記電気負荷接続ポートに電気負荷が接続されているか否かを検知する第２の工程と、前記第２の工程で、前記データ移動スイッチが操作された方の制御ユニットが、該制御ユニットの前記電気負荷接続ポートに電気負荷が接続されていることを検知したときは、該制御ユニットが新制御ユニットであり、他方の制御ユニットが旧制御ユニットであるとして、旧制御ユニットの前記データ移動手段が、旧制御ユニットの不揮発性メモリに保存されたデータを前記通信ケーブルを介して新制御ユニットに送信すると共に、新制御ユニットの前記データ移動手段が、旧制御ユニットから送信されたデータを受信して新制御ユニットの不揮発性メモリに書き込むデータ移動処理を実行し、前記第２の工程で、前記データ移動スイッチが操作された方の制御ユニットが、該制御ユニットの前記電気負荷接続ポートに電気負荷が接続されていることを検知しなかったときには、前記データ移動処理を禁止する第３の工程とを含むことを特徴とする。
【００１０】
かかる本発明によれば、前記制御ユニットを交換するときに、先ず、前記第１の工程により、前記装置から取り外された前記制御ユニット（旧制御ユニット）と前記装置に新たに取り付けられた前記制御ユニット（新制御ユニット）が通信ケーブルを介して接続されて、新制御ユニットの前記データ移動手段と旧制御ユニットの前記データ移動手段間の通信が可能な状態とされる。
【００１１】
次に、前記第２の工程により、新制御ユニット又は旧制御ユニットの前記データ移動開始スイッチが操作されたときに、該データ移動開始スイッチが操作された方の制御ユニットが、該制御ユニットの前記電気負荷接続ポートに電気負荷が接続されているか否かを検知する。
【００１２】
ここで、前記データ移動開始スイッチが操作されたときに、該データ移動開始スイッチが操作された制御ユニットの前記電気負荷接続ポートに電気負荷が接続されていたときには、該制御ユニットは前記装置に取り付けられた状態にあり、新制御ユニットであると判断することができる。そこで、この場合は、前記第３の工程において、前記データ移動開始スイッチが操作された制御ユニットが新制御ユニットであり、他方の制御ユニットが旧制御ユニットであるとして、前記データ移動処理が実行される。
【００１３】
それに対して、前記データ移動開始スイッチが操作されたときに、該データ移動開始スイッチが操作された制御ユニットの前記電気負荷接続ポートに電気負荷が接続されていなかったときには、該制御ユニットは前記装置に取り付けられていない状態にあり、旧制御ユニットであると判断することができる。そこで、この場合は、前記第３の工程において、前記データ移動処理が禁止される。これにより、前記制御ユニットの交換作業を行う作業者が、誤って旧制御ユニットの前記データ移動開始スイッチを操作したときに、新制御ユニットの前記不揮発性メモリに保持されたデータが、旧制御ユニットの不揮発性メモリに移動して、旧制御ユニットの前記不揮発性メモリに保持されていたデータが消失し、旧制御ユニットから新制御ユニットへのデータの承継が不能となることを防止することができる。
【００１４】
また、前記装置には複数の電気負荷が設けられて、前記制御ユニットが前記装置に取り付けられるときに、該複数の電気負荷が前記電気負荷接続ポートに接続され、前記第２の工程において、前記データ移動スイッチが操作された方の制御ユニットが、該制御ユニットの前記電気負荷接続検知手段により該制御ユニットの前記電気負荷接続ポートに、少なくとも１つの電気負荷が接続されていることを検知したときに、前記第３の工程において、前記データ移動処理を実行することを特徴とする。
【００１５】
かかる本発明においては、前記第１の工程により前記装置に前記制御ユニットが取り付けられたときに、前記制御ユニットの前記電気負荷接続ポートには複数の電気負荷が接続される。そして、前記装置のメンテナンスに際して前記制御ユニットを交換するときには、複数の電気負荷のうちに断線異常が生じている場合があり得る。そして、前記電気負荷接続ポートに前記複数の電気負荷が全て接続されていることを条件として、前記データ移動処理を実行することとすると、このように、断線異常が生じている電気負荷がある場合には、断線異常が生じている電気負荷を特定して正常品に交換しなければ、前記データ移動処理を実行することができない。
【００１６】
そこで、本発明においては、前記第２の工程において、前記データ移動スイッチが操作された方の制御ユニットが、該制御ユニットの前記電気負荷接続検知手段により該制御ユニットの前記電気負荷接続ポートに、少なくとも１つの電気負荷が接続されていることを検知したときに、前記第３の工程で前記データ移動処理を実行する。これにより、上述したように、前記電気負荷接続ポートに接続された複数の電気負荷のうちの一部が断線故障している場合であっても、前記データ移動処理を実行して、旧制御ユニットから新制御ユニットにデータを移動することができる。
【発明を実施するための最良の形態】
【００１７】
本発明の実施の形態について、図１から図２を参照して説明する。図１は本実施の形態における制御ユニット１５（１５ａ，１５ｂ）の構成図である。制御ユニット１５は、給湯機能の他に、浴槽と連通した追焚循環路を介して浴槽内の湯を循環させて加熱する追焚き機能と、温水暖房端末（温風暖房機、床暖房機等）と連通した温水循環路を介して該温水暖房端末に温水を供給する温水暖房機能とを有するガス給湯装置（本発明の装置に相当する）に備えられて、該ガス給湯装置の作動を制御するものである。
【００１８】
制御ユニット１５は、マイクロコンピュータ等により構成された電子ユニットであり、ＥＥＰＲＯＭ２２（本発明の不揮発性メモリに相当する）、ＥＥＰＲＯＭ２２に保持されたデータの移動開始を指示するデータ移動開始スイッチ３４、ＥＥＰＲＯＭ２２に保持されたデータを読み出して通信ポート３３から出力し、通信ポート３３を介して入力したデータをＥＥＰＲＯＭ２２に書込むデータ移動手段３５、交流電源４０と電源ケーブル４１を介して接続される電源ポート４２、電源ポート４２に供給される交流電力から直流電力を生成する電源回路４３、電源回路４３から過剰電流が流れることを阻止する過電流保護回路４４、電源回路４３から出力される電力を通信ポート３３に出力する（＋）電源ライン４５ａ及び（−）電源ライン４５ｂ、及び通信ポート３３から電源回路４３に電流が流れ込むことを阻止する逆流防止回路４６を備えている。
【００１９】
さらに、各制御ユニット１５は、本発明の電気負荷に相当するサーミスタ６０〜６４及びオーバーヒートスイッチ６５が接続される電気負荷接続ポート５０と、サーミスタ６０〜６４及びオーバーヒートスイッチ６５が電気負荷接続ポート５０に接続されているか否かを検知する電気負荷接続検知手段５１とを備えている。なお、データ移動手段３５と電気負荷接続検知手段５１は、マイクロコンピュータにガス給湯装置の制御用プログラムを実行させることにより構成される。
【００２０】
本実施の形態では、ガス給湯装置から給湯配管に供給される湯の温度を検出する出湯サーミスタ６０、給湯用熱交換器から出湯される湯の温度を検出する熱交サーミスタ６１、浴槽内の湯の温度を検出する風呂サーミスタ６２、ガス給湯装置から暖房用温水循環路に供給される湯の温度を検出する暖房サーミスタ６３、凍結防止運転の開始条件となるガス給湯装置内の温度低下を検出する低感サーミスタ６４、及びガス給湯装置内の高温異常を検出するオーバーヒートスイッチ６５が、電気負荷接続ポート５０に接続される。
【００２１】
ＥＥＰＲＯＭ２２には、ガス給湯装置の作動を制御する際に必要となるサーミスタの検出値やガスバーナの炎検知用のフレームロッドの検出値に対する補正値のデータ、ガス給湯装置の稼動時間のデータ等が保持される。そして、これにより、停電が生じて交流電源４０からガス給湯装置への電力供給が遮断されても、前記補正値のデータや稼動時間のデータは消失せずにＥＥＰＲＯＭ２２に保持され、停電から復帰した後、制御ユニット１５はこれらのデータを用いてガス給湯装置を制御することができる。
【００２２】
しかし、ガス給湯装置の保守等のために制御ユニット１５を交換するときには、ガス給湯装置から取り外された制御ユニット１５（旧制御ユニット１５ｂ）のＥＥＰＲＯＭ２２に保持されていたデータを、新たにガス給湯装置に取り付けられた制御ユニット１５（新制御ユニット１５ａ）のＥＥＰＲＯＭ２２に移動させる必要がある。そして、このようにＥＥＰＲＯＭ２２に保持されたデータを移動させることにより、新制御ユニット１５ａは、旧制御ユニット１５ｂからデータを承継してガス給湯装置を制御することができる。
【００２３】
以下、図１及び図２を参照して、旧制御ユニット１５ｂのＥＥＰＲＯＭ２２に保持されたデータを、新制御ユニット１５のＥＥＰＲＯＭ２２に移動させる手順について説明する。
【００２４】
図１を参照して、制御ユニット１５を交換する作業者は、先ず、ガス給湯装置に取り付けられていた旧制御ユニット１５ｂを取り外し、新制御ユニット１５ａをガス給湯装置に取り付けて電気負荷接続ポート５０にサーミスタ６０〜６４とオーバーヒートスイッチ６５を接続する。また、作業者は、新制御ユニット１５ａの電源ポート４２を電源ケーブル４１を介して交流電源４０と接続し、新制御ユニット１５ａの通信ポート３３と旧制御ユニット１５ｂの通信ポート３３とを通信ケーブル３１で接続する。
【００２５】
新制御ユニット１５ａと旧制御ユニット１５ｂとが通信ケーブル３１を介して接続された場合、新制御ユニット１５ａは、電源回路４３により生成される直流電力によって作動する。一方、旧制御ユニット１５ｂの通信ポート３３には、新制御ユニット１５ａの電源回路４３で生成された直流電力が、電源ライン４５ａ，４５ｂ及び通信ケーブル３１を介して供給される。
【００２６】
この場合、旧制御ユニット１５ｂは、通信ポート３３に供給される直流電力によって作動する。そのため、制御ユニット１５ａ，１５ｂの交換を行う作業者は、旧制御ユニット１５ｂの電源ポート４２に交流電力を供給するために電源ケーブル４１を接続する必要がなく、新制御ユニット１５ａと旧制御ユニット１５ｂとを通信ケーブル３１で接続するという簡易な作業により、旧制御ユニット１５ｂを作動可能な状態とすることができる。
【００２７】
このように、旧制御ユニット１５ｂの通信ポート３３と新制御ユニット１５ａの通信ポート３３とを通信ケーブル３１を介して接続して、新制御ユニット１５ａのデータ移動手段３５と旧制御ユニットのデータ移動手段３５間の通信が可能な状態にする工程が、本発明の第１の工程に相当する。
【００２８】
次に、作業者は、旧制御ユニット１５ｂのＥＥＰＲＯＭ２２に保持されたデータを新制御ユニット１５ａのＥＥＰＲＯＭ２２に移動させる「データ移動処理」の開始を指示するために、新制御ユニット１５ａのデータ移動開始スイッチ３４を操作する。
【００２９】
ここで、上述した第１の工程の実行により、旧制御ユニット１５ｂと新制御ユニット１５ａが作動を開始したときに、制御ユニット１５ａ，１５ｂは、自身が旧制御ユニット（給湯器１から取り外された制御ユニット）であるか新制御ユニット（給湯器１に新たに取り付けられた制御ユニット）であるかを認識することができない。
【００３０】
そこで、第２の工程として、データ移動開始スイッチ３４が操作された制御ユニット１５は、自身が新制御ユニット１５ａであるか旧制御ユニット１５ｂであるかを判別するために、図２に示したフローチャートによる処理を実行する。
【００３１】
図２を参照して、ＳＴＥＰ１で作業者によりデータ移動開始スイッチ３４が操作され、データ移動開始スイッチ３４がＯＮしたときにＳＴＥＰ２に進む。ＳＴＥＰ２〜ＳＴＥＰ７は電気負荷接続検知手段５１による処理である。
【００３２】
ここで、出湯サーミスタ６０、熱交サーミスタ６１、風呂サーミスタ６２、暖房サーミスタ６３、及び低感サーミスタ６４用のポートは、マイクロコンピュータに備えられた８bitの分解能（0〜1024）のＡ／Ｄコンバータ入力と接続され、これらのサーミスタが接続されていないとき若しくは断線しているときには、Ａ／Ｄコンバータ入力の電圧レベルのデジタル変換値は1008以上となる。
【００３３】
そこで、電気負荷接続検知手段５１は、これらのサーミスタ６０〜６４が電気負荷接続ポート５０に接続されているか否かを、これらのサーミスタ６０〜６４の接続ポートの電圧レベルのデジタル変換値が1008以上であるか否かを判断することによって検知する。
【００３４】
また、オーバーヒートスイッチ６５は、周囲温度が所定の過熱検知温度以下であるときは閉状態となり、周囲温度が該過熱検知温度を超えたときに開状態となるバイメタルスイッチである。そして、電気負荷接続ポート５０のオーバーヒートスイッチ用ポートは、マイクロコンピュータの論理入力ポートに接続され、オーバーヒートスイッチ６５が閉状態（過熱検知温度以下である状態）であるときは、オーバーヒートスイッチ用ポートから該論理入力ポートへの入力レベルがLowなり、オーバーヒートスイッチ６５が開状態（過熱検知温度よりも高い状態）であるときには、オーバーヒートスイッチ用ポートから該論理入力ポートへの入力レベルがHighとなるように構成されている。
【００３５】
そこで、電気負荷接続検知手段５１は、電気負荷接続ポート５０のオーバーヒートスイッチ用ポートから論理入力ポートへの入力レベルがLowであるかHighであるかを判断することにより、オーバーヒートスイッチ６５が電気負荷接続ポート５０に接続されているか否かを判断する。
【００３６】
ＳＴＥＰ２で、電気負荷接続検知手段５１は、電気負荷接続ポート５０の出湯サーミスタ用ポートの入力電圧のデジタル変換値が1008以上であるか否かを判断する。そして、該デジタル変換値が1008以上であるとき（出湯サーミスタ６０が接続されていないか、若しくは接続された出湯サーミスタ６０が断線しているとき）はＳＴＥＰ３に進む。一方、該デジタル変換値が1008よりも小さいとき（出湯サーミスタ６０が接続されているとき）はＳＴＥＰ１０に進む。
【００３７】
同様にして、電気負荷接続検知手段５１は、ＳＴＥＰ３で熱交サーミスタ６１が電気負荷接続ポート５０に接続されているか否かを判断し、ＳＴＥＰ４で風呂サーミスタ６２が電気負荷接続ポート５０に接続されているか否かを判断し、ＳＴＥＰ５で暖房サーミスタ６３が電気負荷接続ポート５０に接続されているか否かを判断し、ＳＴＥＰ６で低感サーミスタ６４が電気負荷接続ポート５０に接続されているか否かを判断する。
【００３８】
また、電気負荷接続検知手段５１は、ＳＴＥＰ７で、オーバーヒートスイッチ６５が電気負荷接続ポート５０に接続されているか否かを判断する。そして、ＳＴＥＰ２〜ＳＴＥＰ７において、出湯サーミスタ６０、熱交サーミスタ６１、風呂サーミスタ６２、暖房サーミスタ６３、低感サーミスタ６４、及びオーバーヒートスイッチ６５のうちの少なくともいずれか１つが、電気負荷接続ポート５０に接続されていることが検知されたときにＳＴＥＰ１０に分岐する。
【００３９】
ここで、ＳＴＥＰ２〜ＳＴＥＰ７において、出湯サーミスタ６０、熱交サーミスタ６１、風呂サーミスタ６２、暖房サーミスタ６３、低感サーミスタ６４、及びオーバーヒートスイッチ６５のうちの少なくともいずれか１つが、電気負荷接続ポート５０に接続されていることが検知されたときは、ＳＴＥＰ１でデータ移動開始スイッチ３４が操作された制御ユニット１５が、ガス給湯装置に取り付けられた新制御ユニット１５ａであると判断することができる。
【００４０】
そこで、この場合は、ＳＴＥＰ１０で、データ移動開始スイッチ３４が操作された方の制御ユニットを新制御ユニット１５ａとし、他方の制御ユニットを旧制御ユニット１５ｂとして、「データ移動処理」を実行する。
【００４１】
具体的には、新制御ユニット１５ａのデータ移動手段３５は、通信ケーブル３１を介して、旧制御ユニット１５ｂのデータ移動手段３５にデータ移動開始命令を送信する。該データ移動開始命令を受信した旧制御ユニット１５ｂのデータ移動手段３５は、ＥＥＰＲＯＭ２２に保持されたデータを読み出して、該データを通信ケーブル３１を介して新制御ユニット１５ａに送信する。
【００４２】
そして、新制御ユニット１５ａのデータ移動手段３５が、受信したデータを順次ＥＥＰＲＯＭ２２に書き込み、これにより、旧制御ユニット１５ｂのＥＥＰＲＯＭ２２に保持されていたデータが新制御ユニット１５ａのＥＥＰＲＯＭ２２に移動して、「データ移動処理」が完了する。
【００４３】
ここで、制御ユニット１５を交換するときに、サーミスタ６０〜６５及びオーバーヒートスイッチ６５のうちのいずれかが断線故障している場合がある。また、制御ユニット１５が、追焚き機能を有しないガス給湯装置や温水暖房機能を有しないガス給湯装置で汎用的に使用されるものであるときには、電気負荷接続ポート５０に風呂サーミスタ６２や暖房サーミスタ６３が接続されない場合もある。
【００４４】
そのため、上記ＳＴＥＰ２〜ＳＴＥＰ７により、サーミスタ６０〜６４及びオーバーヒートスイッチ６５のうちのいずれか１つが電気負荷接続ポート５０に接続されていることが検知されたときに、ＳＴＥＰ１０に分岐して「データ移動処理」を実行する。これにより、電気負荷接続ポート５０に接続されたサーミスタ６０〜６４及びオーバーヒートスイッチ６５のうちのいずれかが断線故障している場合や、サーミスタ６０〜６４及びオーバーヒートスイッチ６５のうちのいずれかが電気負荷接続ポート５０に接続されていない場合であっても、「データ移動処理」を実行することができる。
【００４５】
次に、ＳＴＥＰ２〜ＳＴＥＰ７において、出湯サーミスタ６０、熱交サーミスタ６１、風呂サーミスタ６２、暖房サーミスタ６３、低感サーミスタ６４、及びオーバーヒートスイッチ６５のいずれについても、電気負荷接続ポート５０に接続されていることが検知されなかったときには、ＳＴＥＰ８に進んで「データ移動処理」は実行されない。
【００４６】
ここで、ガス給湯装置に新制御ユニット１５ａが取り付けられたときは、電気負荷接続ポート５０にサーミスタ６０〜６４及びオーバーヒートスイッチ６５が接続される。そのため、ＳＴＥＰ２〜ＳＴＥＰ７において、出湯サーミスタ６０、熱交サーミスタ６１、風呂サーミスタ６２、暖房サーミスタ６３、低感サーミスタ６４、及びオーバーヒートスイッチ６５のいずれも電気負荷接続ポート５０に接続されていることが検知されなかったときは、ＳＴＥＰ１でガス給湯装置から取り外された旧制御ユニット１５ｂのデータ移動開始スイッチ３４が操作されたと判断することができる。
【００４７】
そこで、この場合には「データ移動処理」を禁止することにより、新制御ユニット１５ａのＥＥＰＲＯＭ２２のデータが旧制御ユニット１５ｂに転送されて旧制御ユニット１５ｂのＥＥＰＲＯＭ２２に書込まれ、旧制御ユニット１５ｂに保持されていたデータが消失してしまうことを回避している。
【００４８】
なお、本実施の形態では、図２に示したように、サーミスタ６０〜６４及びオーバーヒートスイッチ６５のうちの少なくとも１つが電気負荷接続ポート５０に接続されていることが検知されたときに「データ移動処理」を実行し、サーミスタ６０〜６４及びオーバーヒートスイッチ６５のいずれも電気負荷接続ポート５０に接続されていることが検知されなかったときには「データ移動処理」を禁止した。
【００４９】
しかし、本発明の電気負荷はサーミスタ及びオーバーヒートスイッチに限られず、各種のセンサや電気アクチュエータ等、制御ユニットに接続される電気負荷であればよい。
【００５０】
また、本実施の形態では、ガス給湯装置に備えられた制御ユニットの交換に適用した例を示したが、ガス調理器等の他の種類の装置に備えられた制御ユニットを交換する場合にも、本発明の適用が可能である。
【００５１】
また、本実施の形態では、本発明の不揮発メモリとしてＥＥＰＲＯＭを用いた制御ユニットを示したが、フラッシュメモリ等、他の種類の不揮発性メモリを用いてもよい。
【図面の簡単な説明】
【００５２】
【図１】ガス給湯装置に備えられる制御ユニットの構成図。
【図２】データ移動開始スイッチが操作された制御ユニットがガス給湯装置に取り付けられた新制御ユニットであるか否かを検知して、データ移動処理を実行するためのフローチャート。
【符号の説明】
【００５３】
１５ａ…新制御ユニット、１５ｂ…旧制御ユニット、２２…ＥＥＰＲＯＭ、３３…通信ポート、３４…データ移動開始スイッチ、３５…データ移動手段、４３…電源回路、４４…過電流保護回路、４５…電源ライン、４６…逆流防止回路、５０…電気負荷接続ポート、５１…電気負荷接続検知手段、６０…出湯サーミスタ、６１…熱交サーミスタ、６２…風呂サーミスタ、６３…暖房サーミスタ、６４…低感サーミスタ、６５…オーバーヒートスイッチ
【図１】
2008299410.tif 000003
【図２】
2008299410.tif 000004